(57)【特許請求の範囲】
【請求項１】
床（２）の所定箇所に穿設した便器取付用孔（３）へ押込み可能な固定部（６）を有すると共に、床直置型洋風便器（１）の取付部（４）より挿入した取付ネジ（５）が螺着自在なネジ螺挿穴（１０）を形成してある床直置型洋風便器の取付具であって、
前記固定部（６）の上部に、前記便器取付用孔（３）より大径の鍔部（８）を一体連接してある床直置型洋風便器の取付具。
【請求項２】
前記便器取付用孔（３）へ押込む方向に沿った溝部（９）を側部に形成してある請求項１に記載の床直置型洋風便器の取付具。
【請求項３】
硬さがＨｓ（JIS Ａ）＝３０〜７０度のエラストマーである請求項１または請求項２に記載の床直置型洋風便器の取付具。
【発明の詳細な説明】
【０００１】
【発明の属する技術分野】
本発明は、床の所定箇所に穿設した便器取付用孔へ押込み可能な固定部を有すると共に、床直置型洋風便器の取付部より挿入した取付ネジが螺着自在なネジ螺挿穴を形成してある床直置型洋風便器（以降、単に「洋風便器」という）の取付具に関する。
【０００２】
【従来の技術】
洋風便器を設けてなる一般建物などでは、便器の使用中あるいは排水時に発生する振動や音が下階等に伝播せず、下階等において静粛性が維持できることが望まれる。
従来の洋風便器の取付構造としては、当該洋風便器を建物の床に直に取付けた場合に生じる騒音等の問題を解消すべく、例えば、ゴム製の単なる円柱状の取付具をコンクリートの床に穿設した便器取付用孔に圧入し、前記洋風便器の固定ネジを当該取付具に螺合させて前記洋風便器を固定するものがあった。
【０００３】
【発明が解決しようとする課題】
しかし、前記取付具の床への取付けは、床に形成した便器取付用孔に前記取付具を単に圧入するだけであったから、前記取付具を前記便器取付用孔に対して適切な深さまで圧入する作業が煩雑となるばかりでなく、前記取付具の所望の性能が十分に発揮されない場合があった。
例えば、加圧力が強いと、前記取付具の圧入深さが深くなり過ぎ、前記取付具に対する前記取付ネジの螺合長さが短かくなって、前記洋風便器の取付けが確実でなくなる。
一方、加圧力が弱いと、前記取付具の圧入深さが浅くなり過ぎ、前記洋風便器の取付部が前記取付具の上に乗り上げる状態となって、やはり洋風便器の取付が確実でなくなる。
本発明の目的は、上記欠点に鑑み、前記取付具の前記便器取付用孔への押込みに際して、押込作業が確実に行え、かつ、押込深さを所定の深さに規制することが容易に行えて、前記洋風便器の使用に際して発生する振動や音が床等に伝播するのを有効に遮断できる洋風便器の取付具を提供することにある。
【０００４】
【課題を解決するための手段】
（構成）
この目的を達成するための本発明の洋風便器の取付具の特徴構成は、請求項１に記載の取付具にあっては、固定部の上部に、便器取付用孔より大径の鍔部を一体連接した点にある。
（作用・効果）
本構成によれば、前記便器取付用孔に対して前記取付具を押込む際に、前記鍔部がストッパとなるから、前記取付具を常に所定深さまで圧入することができる。
つまり、前記固定部の全ての部分が前記便器取付用孔の内部に押込まれるから、前記取付具は、前記便器取付用孔の側面に最大の摩擦力を作用させることとなり、前記取付具は、前記床に確実に保持される。
一方、前記鍔部を有する結果、前記取付具が前記便器取付用孔の内部に入り過ぎるおそれがなくなるから、前記洋風便器を固定するための取付ネジを、前記取付具に対して常に必要最小限の深さ以上に螺合させることができ、もって前記洋風便器の固定が確実になる。
【０００５】
（構成）
請求項２に記載したごとく、前記取付具の側部に、前記便器取付用孔へ押込む方向に沿った溝部を形成してもよい。
（作用・効果）
本構成によれば、前記取付具を前記便器取付用孔へ押込む際に、これら取付具と便器取付用孔との間に形成される空間の空気を、前記溝部を介して排出することができる。この結果、前記取付具の押込力が不必要に高まることがないから、前記取付具に対しては、前記取付具と前記便器取付用孔との摩擦力に勝る力さえ加えればよく、前記取付具の押込作業が容易になる。
【０００６】
（構成）
請求項３に記載したごとく、前記取付具の材料としては、硬さがＨｓ（JIS Ａ）＝３０〜７０度のエラストマーを使用するとよい。
（作用・効果）
この程度の硬さを有するエラストマーで前記取付具を構成すると、前記洋風便器を確実に固定しながらより一層の防振・防音効果が得られる。
即ち、前記取付具が適度な硬さを有するが故に、前記便器取付用孔の内壁に対して必要な摩擦力を確実に発生させるから、前記洋風便器に偏荷重がかかった場合等においても、前記取付具が抜け出るなどの事態は生じにくい。また、螺入された前記取付ネジが抜け出すおそれも少なくなるから、前記洋風便器の固定が確実となる。
一方、前記取付具は適度な弾性を有するものでもあるから、前記洋風便器から前記取付ネジに伝播した振動等は前記取付具において効果的に減衰・吸収されることとなる。
【０００７】
【発明の実施の形態】
以下に本発明の実施の形態を図面に基づいて説明する。
【０００８】
（概要）
本発明に係る洋風便器取付具Ａは、例えば図１に示す如く、コンクリートなどで形成された床２の所定箇所に穿設した複数の便器取付用孔３へ押込んで取付ける。
押込まれた夫々の取付具Ａと前記洋風便器１のネジ挿通孔１６との位置が重なるように前記洋風便器１を配置し、取付ネジ５を前記取付具１に螺合させることで前記洋風便器１を前記床２に固定する。当該取付ネジ５は、例えば木ネジ状のものを用いると、前記取付具Ａへの螺入が容易になって都合がよい。
前記取付具Ａは、その上部に鍔部が設けられてなり、前記取付具Ａを前記床２に対して所定の深さまで挿入するのを容易にし、かつ、確実にする。これにより、前記洋風便器１からの振動や音が前記床２に伝播するのを大幅に低減するものである。
以下、本発明に係る洋風便器取付構造に必要な夫々の部材について説明する。
【０００９】
（取付具）
前記取付具Ａの形状を図２および図３に示す。
前記取付具Ａは略円柱状を呈すると共に、前記便器取付用孔３へ押込まれる固定部６、および、当該固定部６に一体的に形成された鍔部８とからなる。当該鍔部８の外径は、前記固定部６の外径よりも大きく構成されている。前記鍔部８の上面７には、前記取付ネジ５の螺合を容易にするためのネジ螺挿穴１０が形成されている。当該ネジ螺挿穴１０は、前記取付ネジ５を前記取付具Ａの軸心に正確に位置させ、かつ、前記取付具Ａの軸心方向に正確に螺進させる等の目的で設けている。ただし、当該ネジ螺挿穴１０は、主に、前記取付ネジ５の取付けを容易にするためのものであるから、必ずしも形成する必要はない。
以上の如く、本発明の取付具Ａは前記鍔部８を有するから、前記取付具Ａを前記床２に対して常に一定の深さまで挿入することが容易になる。この結果、前記固定部６の全ての部分が前記便器取付用孔３の内部へ押込まれるから、前記取付具Ａは、前記便器取付用孔３の側面に最大の摩擦力を作用させることとなり、前記取付具Ａは、前記床２に確実に保持されることとなる。
一方、前記鍔部８を有する結果、前記取付具Ａが前記便器取付用孔３の内部に入り過ぎるおそれがなくなる。この結果、前記取付具Ａに対する前記取付ネジ５の螺入深さを常に必要最小限の深さ以上に確保することができるから、前記洋風便器１の固定が確実となる。
また、前記固定部６の側部には、前記取付具Ａの挿入時に前記便器取付用孔３の内部の空気を排出させるための溝部９を、前記取付具Ａの挿入方向に沿わせた状態に形成してある。この溝部９は、一つだけ形成してもよいし、複数形成してもよい。
前記取付具Ａの固定部６の側面形状は特に限定されるものではない。要するに、前記取付具Ａの弾性力に起因して、前記取付具Ａと前記便器取付用孔３との間に相応の摩擦力が発生するものであればよい。
前記取付具Ａの寸法・形状は、例えば、全高５０ｍｍ、前記鍔部８の直径２９ｍｍ、当該鍔部８の厚さ５ｍｍ、前記固定部６の直径２５ｍｍ、前記溝部の形状が半径２ｍｍの半円筒状となっている。
前記取付具Ａとしては、例えば、ＳＢＲ（スチレンブタジエンゴム）組成物など、汎用のエラストマーを用いる。即ち、適度な硬さのエラストマーであれば前記取付具Ａが前記便器取付用孔３から抜け出ないよう前記便器取付用孔３の内面に対して十分な摩擦力を発揮し得ると共に、螺入された前記取付ネジ５の抜出しも確実に阻止できるからである。具体的な硬さは、ＪＩＳ  Ｋ  ６３０１（加硫ゴム物理試験方法）によるＨｓ（ＪＩＳ  Ａ）が、３０〜７０度のもの、特には４０〜５０度程度のものが好ましい。
尚、その他の材料として、例えば、ＮＲ（天然ゴム）、ＣＲ（クロロプレンゴム）、ＮＢＲ（ニトリルブタジエンゴム）等の他、ＰＶＣ系等のＴＰＥ（熱可塑性エラストマー）を用いてもよく、さらには、これらのエラストマーに加えて、金属、セラミックス、プラスチック等の材料を重ねてなる複合タイプのものでもよい。
【００１０】
（パッキン）
図１に示す如く、前記洋風便器１の底部１１の周囲には、例えば、環状を呈するパッキンＢが取付けられ、前記洋風便器１は当該パッキンＢを介して前記床２に載置される。
図４に示す如く、前記パッキンＢの断面は略Ｌ字状を呈しており、突出部１２と載置面１３とを有する。当該載置面１３には、前記洋風便器１に接着させるために、例えば両面テープなどの接着部材１４が設けられている。
前記洋風便器１への前記パッキンＢの取付けは、図１に示す如く、前記突出部１２が前記洋風便器１の底部１１外周面を覆うように、かつ、前記洋風便器１の底部１１下面が前記接着部材１４を介して前記載置面１３に当接する状態となるように行う。
前記パッキンＢの寸法・形状は、例えばその断面において、全高８ｍｍ、全幅１０ｍｍ、前記載置面の幅７ｍｍとなっている。
尚、前記パッキンＢも、前記取付具Ａと同様に、汎用のエラストマーで構成する。このゴムは、例えば、ＳＢＲ（スチレンブタジエンゴム）組成物で形成する。硬さは、Ｈｓ（ＪＩＳ  Ａ）＝４０〜８０度程度が好ましい。
尚、その他の材料として、ＮＲ、ＣＲ、ＮＢＲ等の他ＰＶＣ系等のＴＰＥを用いてもよい。
【００１１】
（取付具の取付け）
前記取付具Ａの実際の取付け、および、前記洋風便器１の固定は以下の要領で行う。
図示は省略するが、予め穿設した前記便器取付用孔３の内周面、あるいは、前記取付具Ａの固定部６外周面に接着剤を塗布する。そうすれば前記取付具Ａを前記便器取付用孔３に対してより強固に固定することができ、潤滑油機能も働いて押込みが容易になる。勿論、当該接着剤を使用せずとも前記取付具Ａを取付けることが可能である。
その後、前記取付具Ａを前記便器取付用孔３へ押込む。この時、両者の間に形成される空間１５の空気は、前記溝部９を介して外部に排出される。よって、前記取付具Ａの押込みに際しては、前記取付具Ａと前記便器取付用孔３との間に生じる摩擦力に勝る力さえ加えれば足り、押込作業はスムーズに行える。この時、前記鍔部８が押込時のストッパとなるから、押込力を厳密に加減する必要はない。
このようにして取付けられた前記取付具Ａの位置に合わせて前記洋風便器１を載置する。前記洋風便器１には、前記パッキンＢを予め取付けておく。この取付けには、前述の接着部材１４たる両面テープを用いる。
位置決めが終了した後、前記洋風便器１の取付部４に設けられたネジ挿通孔１６に前記取付ネジ５を挿入し、さらに、前記取付具Ａに螺着する。これにより、前記洋風便器１は前記床２に固定される。
以上の如く、本発明の洋風便器取付構造によれば、前記洋風便器１は前記床２に対して前記取付具Ａおよび前記パッキンＢのみを介して設置されるから、前記洋風便器１で発生する振動や音が前記床２に伝播するのを大幅に抑制することができる。
【００１２】
前記取付部４は、通常、前記取付具Ａの前記上面７から離間した構成となっているが、両者が当接している構成であってもよい。
例えば、前記鍔部８の厚みを、前記上面７と前記取付部４とが略当接するように設定しておけば、前記洋風便器１を取付けた状態において、前記洋風便器１の重量は、前記パッキンＢだけではなく前記取付具Ａによっても分担支持されることとなる。このため、重量を分担する夫々の部位での接触圧力が低下し、振動や音の伝播がさらに低減される。
さらに、前記洋風便器１の重量が分担支持されれば、特定の部位に応力が集中することがなく、前記洋風便器１が破損するなど不測の事態の発生を阻止する効果も期待できる。
【００１３】
以上の如く、本発明の洋風便器１の取付具Ａは、前記床２に対して常に一定の深さまで押込んで取付けることができ、前記取付具Ａの押込作業を容易にすると共に、前記洋風便器１を確実に固定しながら、良好な防振・防音効果を発揮するものである。
【００１４】
尚、特許請求の範囲の項に図面との対照を便利にするために符号を記すが、該記入により本発明は添付図面の構成に限定されるものではない。
【図面の簡単な説明】
【図１】本発明の床直置型便器の防音・防振取付構造を示す
【図２】本発明の取付具を取付けた状態を示す一部切欠き側面図
【図３】本発明の取付具を示す図  （イ）は平面図、（ロ）は底面図
【図４】本発明のパッキンの一部を示す縦断斜視図
【符号の説明】
１    床直置型洋風便器
２    床
３    便器取付用孔
４    取付部
５    取付ネジ
６    固定部                                                        ．
８    鍔部
９    溝部
１０  ネジ螺挿孔
【図１】
0003701368.tif 000002
【図２】
0003701368.tif 000003
【図３】
0003701368.tif 000004
【図４】
0003701368.tif 000005